(57)【要約】【課題】比較的高価な鋼管矢板に代えて安価なコンクリート杭を使用し、且つ、従来既存の小口径コンクリート杭を使用して連続壁や基礎杭等を構築する。【解決手段】杭本体１０と略同径のリング状に形成した継手取付部材１２を杭本体１０の長手方向に所要間隔毎に溶接しておき、コンクリートを打設した後に、杭本体１０と一体的で且つ杭本体１０の周面の所要位置に該継手取付部材１２が露出するように形成する。更に、前記継手取付部材１２の表面に複数の継手１３，１３を杭本体１０の長手方向へ固設してコンクリート杭矢板１００を形成する。【選択図】  図２
2004169331.tif 000002
【特許請求の範囲】
【請求項１】
コンクリート杭本体と一体的で且つ杭本体周面の所要位置に露出するように継手取付部材を設け、該継手取付部材に継手を固設したことを特徴とするコンクリート杭矢板。
【請求項２】
上記継手取付部材は杭本体径と略同径のリング状であり、杭本体の長手方向に所要間隔毎に設けられた請求項１記載のコンクリート杭矢板。
【請求項３】
上記継手取付部材は杭本体の同一円周面上に所要間隔毎に設けられ、且つ、本体の長手方向に所要間隔毎に設けられた請求項１記載のコンクリート杭矢板。
【発明の詳細な説明】
【０００１】
【発明の属する技術分野】
本発明は土留めや止水或いは基礎等に用いる矢板に関するものであり、特に、コンクリート杭同士を連結できるように形成したコンクリート杭矢板に関するものである。
【０００２】
【従来の技術及び発明が解決しようとする課題】
土留めや止水等に用いる矢板の中で、鋼管本体の周面に継手を固設した鋼管矢板が知られており、例えば橋梁基礎に於いては、隣接する鋼管矢板の継手同士を係合させて連結し、複数本の鋼管矢板を円形や矩形等の閉鎖形状にして連続壁を構築している（例えば、特許文献１参照）。
【０００３】
【特許文献１】
特開平５−５１９２６号公報。
【０００４】
しかし、鋼管矢板は高価であり、鋼管本体は曲げに対しては十分な強度を有しているが、圧縮に対してはやや弱いという問題がある。これに対してコンクリート杭は圧縮に対して十分な強度を有しており、コンクリート杭を矢板として利用できれば経済的である。
【０００５】
そこで、比較的高価な鋼管矢板に代えて安価なコンクリート杭を使用し、且つ、従来既存の小口径コンクリート杭を使用して連続壁や基礎杭等を構築するために解決すべき技術的課題が生じてくるのであり、本発明はこの課題を解決することを目的とする。
【０００６】
【課題を解決するための手段】
本発明は上記目的を達成するために提案されたものであり、コンクリート杭本体と一体的で且つ杭本体周面の所要位置に露出するように継手取付部材を設け、該継手取付部材に継手を固設したコンクリート杭矢板、
及び、上記継手取付部材は杭本体径と略同径のリング状であり、杭本体の長手方向に所要間隔毎に設けられたコンクリート杭矢板、
及び、上記継手取付部材は杭本体の同一円周面上に所要間隔毎に設けられ、且つ、本体の長手方向に所要間隔毎に設けられたコンクリート杭矢板を提供するものである。
【０００７】
【発明の実施の形態】
以下、本発明の一実施の形態を図面に従って詳述する。図１乃至図４はコンクリート円筒杭を基にして製作されるコンクリート杭矢板の施工法を示し、図１に示すように、円筒杭の杭本体１０を製造する際に、予め鉄筋１１に杭本体１０と略同径のリング状に形成した継手取付部材１２を杭本体１０の長手方向に所要間隔毎に溶接しておき、コンクリートを打設した後に、杭本体１０と一体的で且つ杭本体１０の周面の所要位置に該継手取付部材１２が露出するように形成する。
【０００８】
而して、図２に示すように、前記継手取付部材１２の表面に複数の継手１３，１３を杭本体１０の長手方向へ固設してコンクリート杭矢板１００を形成する。前記継手１３は、杭本体１０の長手方向に設けた前記各継手取付部材１２，１２…に亙って架設される樋状の長い継手であり、断面視がＣ字形となっている。また、複数の継手１３，１３の取付位置は、後述するようにコンクリート杭矢板１００の連結本数によって、継手１３，１３の取付角度θ及び開口の向きが決定される。これらの継手１３，１３は予め工場にて取り付けておくほか、施工現場にて連結の本数に合わせて取付位置を決定してから後付することもできる。
【０００９】
そして、一方の継手１３の開口に他方の継手１３の開口を挿入して、或いは、他方の継手１３の開口に一方の継手１３の開口を挿入して、双方の継手１３，１３を係合することにより、隣接するコンクリート杭矢板１００，１００を連結できるように形成してある。
【００１０】
ここで、継手取付部材は杭本体１０の周面に全周に亙って設けなくともよく、図３に示すように、鉄片状に形成した継手取付部材１２ａを杭本体１０と略同径位置に所要間隔毎に溶接しておいてもよい。該継手取付部材１２ａはコンクリートを打設した後に杭本体１０と一体的で、前述した継手１３，１３を固設する部位に対応させて、杭本体１０の同一円周面上に所要間隔毎に且つ杭本体１０の長手方向に所要間隔毎に露出するように設ける。
【００１１】
而して、図４に示すように、前記各継手取付部材１２，１２…に亙って前記継手１３を杭本体１０の長手方向へ固設してコンクリート杭矢板１１０を形成する。前述したコンクリート杭矢板１００と同様に、複数の継手１３，１３の取付位置は、コンクリート杭矢板１１０の連結本数によって、継手１３，１３の取付角度θ及び開口の向きが決定される。これらの継手１３，１３は予め工場にて取り付けておくほか、施工現場にて連結の本数に合わせて取付位置を決定してから後付することもできる。
【００１２】
図５乃至図８はコンクリート節杭を基にして製作されるコンクリート杭矢板の施工法を示し、図５に示すように、節杭の杭本体２０を製造する際に、予め鉄筋２１に杭本体２０の節部分２０ａと略同径のリング状に形成した継手取付部材２２を杭本体２０の長手方向に所要間隔毎に溶接しておき、コンクリートを打設した後に、杭本体２０と一体的で且つ杭本体の節部分２０ａの周面に該継手取付部材２２が露出するように形成する。
【００１３】
而して、図６に示すように、前記杭本体の節部分２０ａに設けた継手取付部材２２の表面に複数の継手１３，１３を杭本体２０の長手方向へ固設してコンクリート杭矢板２００を形成する。前述したコンクリート杭矢板１００及び１１０と同様に、複数の継手１３，１３の取付位置は、コンクリート杭矢板２００の連結本数によって、継手１３，１３の取付角度θ及び開口の向きが決定される。
【００１４】
また、継手取付部材は杭本体の節部分２０ａの周面に全周に亙って設けなくともよく、図７に示すように、鉄片状に形成した継手取付部材２２ａを杭本体の節部分２０ａと略同径位置に所要間隔毎に溶接しておいてもよい。該継手取付部材２２ａはコンクリートを打設した後に杭本体２０と一体的で、前述した継手１３，１３を固設する部位に対応させて、杭本体の節部分２０ａの同一円周面上に所要間隔毎に露出するように設ける。
【００１５】
而して、図８に示すように、前記各継手取付部材２２ａ，２２ａ…に亙って前記継手１３を杭本体２０の長手方向へ固設してコンクリート杭矢板２１０を形成する。前述したコンクリート杭矢板２００と同様に、複数の継手１３，１３の取付位置は、コンクリート杭矢板２１０の連結本数によって、継手１３，１３の取付角度θ及び開口の向きが決定される。これらの継手１３，１３は予め工場にて取り付けておくほか、施工現場にて連結の本数に合わせて取付位置を決定してから後付することもできる。
【００１６】
尚、前記継手１３の形状は必ずしも断面視Ｃ字形でなくてもよく、凹部を有する雌継手と、該雌継手に嵌合可能な凸部を有する雄継手との組み合わせであってもよい。例えば、図９（ａ）に示すように、箱形の外側面に開口を設けて凹部１５ａを形成した雌継手１５と、Ｔ字形の凸部１６ａを有する雄継手１６を組み合わせたものであってもよい。或いは、同図（ｂ）に示すように断面視Ｃ字形の雌継手１７と、前記Ｔ字形の雄継手１６とを組み合わせることもできる。また、前記継手１３同士の組み合わせ、並びに、雌継手１５，１７と雄継手１６との組み合わせは、前述したように双方ともに長い形状に限定されず、何れか一方が長くて他方が短い形状であってもよい。
【００１７】
図１０はコンクリート円筒杭の杭本体１０を基にして製造された前記コンクリート杭矢板１００にて連続壁を構築する場合の施工手順を示し、所定の直線Ｌ１上に、複数のコンクリート杭矢板１００ａ，１００ｂ，１００ｃ…を連結して施工すべく、先ず、一番目のコンクリート杭矢板１００ａを杭打ち機にて地盤の掘削孔（図示せず）に鉛直に挿入して埋設する。尚、本施工例の場合は直線の連続壁であるので、前記継手１３，１３の取り付け角度θは略１８０度である。
【００１８】
次に、該一番目のコンクリート杭矢板１００ａの近傍で前記所定の直線Ｌ１上に、二番目のコンクリート杭矢板１００ｂを杭打ち機にて吊り下げて、一番目のコンクリート杭矢板１００ａの何れか一方の継手１３に、二番目のコンクリート杭矢板１００ｂの何れか一方の継手１３を上方から差し込みながら、該杭打ち機にて該二番目のコンクリート杭矢板１００ｂを下降させて埋設する。
【００１９】
従って、一番目のコンクリート杭矢板１００ａの継手１３と二番目のコンクリート杭矢板１００ｂの継手１３とが係合しながら、隣接するコンクリート杭矢板１００ａ，１００ｂ同士が連結され、前記所定の直線Ｌ１上の地盤の掘削孔に二番目のコンクリート杭矢板１００ｂが埋設される。
【００２０】
続いて、前記二番目のコンクリート杭矢板１００ｂの近傍で前記所定の直線Ｌ１上に、三番目のコンクリート杭矢板１００ｃを杭打ち機にて吊り下げて、前述と同様に、二番目のコンクリート杭矢板１００ｂの残った他方の継手１３に、三番目のコンクリート杭矢板１００ｃの何れか一方の継手１３を上方から差し込みながら、該杭打ち機にて該三番目のコンクリート杭矢板１００ｃを下降させて埋設する。
【００２１】
従って、二番目のコンクリート杭矢板１００ｂの継手１３と三番目のコンクリート杭矢板１００ｃの継手１３とが係合しながら、隣接するコンクリート杭矢板１００ｂ，１００ｃ同士が連結され、一番目のコンクリート杭矢板１００ａから三番目のコンクリート杭矢板１００ｃまでが前記所定の直線Ｌ１上に埋設される。
【００２２】
以下、まったく同様の手順にて順次コンクリート杭矢板１００ｅ，１００ｆ…を連結しながら埋設していけば、所定本数のコンクリート杭矢板１００ａ，１００ｂ，１００ｃ…を使用して直線の連続壁３００が構築される。このように、コンクリート円筒杭からなるコンクリート杭矢板１００を複数本使用して、鋼管矢板と同様に直線の連続壁３００を構築することが可能である。
【００２３】
また、前記継手１３，１３の係合部分にセメントミルク等を注入することにより、各コンクリート杭矢板１００ａ，１００ｂ，１００ｃ…間の隙間がなくなるので、該連続壁３００は土留めや基礎杭の施工だけではなく、止水施工に適用できる。また、図示は省略するが、直線の連続壁だけではなく、円形や矩形や他の形状の連続壁も前述と同様の手順にて構築することができる。
【００２４】
尚、コンクリート杭矢板１００を使用して直線の連続壁３００を構築する施工手順について説明したが、前記コンクリート杭矢板１１０を使用しても、まったく同様の施工手順にて直線の連続壁を構築することができる。また、土留めや基礎杭の施工については、コンクリート節杭を基にして製造されたコンクリート杭矢板２００または２１０を使用しても、同様の施工手順にて直線の連続壁を構築することができる。更に、杭の施工法はプレボーリング工法、内掘り工法、セメントミルク工法、ソイルセメント工法等種々の工法があるが、何れの工法であっても本発明のコンクリート杭矢板を施工することができる。
【００２５】
図１１及び図１２はコンクリート節杭の杭本体２０を基にして製造された前記コンクリート杭矢板２００にて円形の連続壁を構築する場合の施工手順を示し、図１１に示すように、予め決定されている連結本数に合わせて、所定半径の同一円周Ｃ１上に、複数本のコンクリート杭矢板２００ａ，２００ｂ，２００ｃ…を連結して施工すべく、先ず、一番目のコンクリート杭矢板２００ａを地盤の掘削孔（図示せず）に挿入して埋設する。
【００２６】
次に、該一番目のコンクリート杭矢板２００ａの近傍で前記所定半径の同一円周Ｃ１上に、二番目のコンクリート杭矢板２００ｂを杭打ち機にて吊り下げて、一番目のコンクリート杭矢板２００ａの何れか一方の継手１３に、二番目のコンクリート杭矢板２００ｂの何れか一方の継手１３を上方から差し込みながら、該杭打ち機にて該二番目のコンクリート杭矢板２００ｂを下降させて埋設する。
【００２７】
従って、一番目のコンクリート杭矢板２００ａの継手１３と二番目のコンクリート杭矢板２００ｂの継手１３とが係合しながら、隣接するコンクリート杭矢板２００ａ，２００ｂ同士が連結され、前記同一円周Ｃ１上の地盤の掘削孔に二番目のコンクリート杭矢板２００ｂが埋設される。
【００２８】
続いて、前記二番目のコンクリート杭矢板２００ｂの近傍に三番目のコンクリート杭矢板２００ｃを杭打ち機にて吊り下げて、前述と同様に、二番目のコンクリート杭矢板２００ｂの残った他方の継手１３に、三番目のコンクリート杭矢板２００ｃの何れか一方の継手１３を上方から差し込みながら、該杭打ち機にて該三番目のコンクリート杭矢板２００ｃを下降させて埋設する。
【００２９】
従って、二番目のコンクリート杭矢板２００ｂの継手１３と三番目のコンクリート杭矢板２００ｃの継手１３とが係合しながら、隣接するコンクリート杭矢板２００ｂ，２００ｃ同士が連結され、一番目のコンクリート杭矢板２００ａから三番目のコンクリート杭矢板２００ｃまでが前記所定半径の同一円周Ｃ１上に埋設される。
【００３０】
以下、まったく同様の手順にて、順次コンクリート杭矢板２００ｅ，２００ｆ…を連結しながら埋設していけば、図１２に示すように、所定本数のコンクリート杭矢板２００ａ，２００ｂ，２００ｃ…を使用して円形の連続壁３１０が構築される。このように、コンクリート節杭からなるコンクリート杭矢板２００を複数本使用して、鋼管矢板と同様に円形の連続壁３１０を構築することが可能である。
【００３１】
前述したように、本実施の形態では双方の継手１３，１３は断面視がＣ字形であるため、この形状によって係合の自由度が増加し、前記継手１３，１３の取り付け角度θが同一であっても、コンクリート杭矢板２００の連結本数を多少異なった本数に変更することが可能であり、同一の取り付け角度θにて幅広く使用できる。例えば、前記継手１３，１３の取り付け角度θが１８０度であれば、継手１３，１３を結ぶ中心線の左右どちら側へでも任意の方向へ湾曲させながらコンクリート杭矢板２００，２００を連結していくことが可能である。
【００３２】
尚、コンクリート杭矢板２００を使用して円形の連続壁３１０を構築する施工手順について説明したが、前記コンクリート杭矢板２１０を使用しても、まったく同様の施工手順にて円形の連続壁を構築することができる。また、コンクリート円筒杭を基にして製造されたコンクリート杭矢板１００または１１０を使用しても、同様の施工手順にて円形の連続壁を構築することができる。
【００３３】
ここで、図１０から図１２に於いては、コンクリート杭矢板１００または１１０、或いは、コンクリート杭矢板２００または２１０等の各継手１３，１３を係合させながら、１本ずつ所定本数のコンクリート杭矢板を連結して連続壁を施工する方法を説明したが、予め地上にて複数本のコンクリート杭矢板を連結しておき、これらの杭をまとめて地盤に施工する方法も可能である。
【００３４】
例えば、図１３は大口径の杭の代わりにコンクリート節杭を基にして製造された前記コンクリート杭矢板２１０を７本使用した施工例を示し、施工しようとする杭の中心部に一番目のコンクリート杭矢板２１０ａを地盤の掘削孔に挿入して鉛直に起立させる。このコンクリート杭矢板２１０ａには継手１３，１３を取り付け角度θが略１８０度にて固設してある。また、二番目及び三番目のコンクリート杭矢板２１０ｂ，２１０ｃには、夫々継手１３，１３が合計３つずつ固設されている。そして、二番目及び三番目のコンクリート杭矢板２１０ｂ，２１０ｃの中央の継手１３または１３を前記一番目のコンクリート杭矢板２１０ａの継手１３または１３に係合させながら、前記一番目のコンクリート杭矢板２１０ａの両側に二番目及び三番目のコンクリート杭矢板２１０ｂ，２１０ｃを連結する。
【００３５】
次に、同様の手順にて、二番目のコンクリート杭矢板２１０ｂの両側に四番目及び五番目のコンクリート杭矢板２１０ｄ，２１０ｅを連結するとともに、三番目のコンクリート杭矢板２１０ｃの両側に六番目及び七番目のコンクリート杭矢板２１０ｆ，２１０ｇを連結する。そして、前記四番目のコンクリート杭矢板２１０ｄと六番目のコンクリート杭矢板２１０ｆを連結し、前記五番目のコンクリート杭矢板２１０ｅと七番目のコンクリート杭矢板２１０ｇを連結する。斯くして、既存の小口径のコンクリート杭矢板２１０ａ，２１０ｂ，２１０ｃ…を組み合わせることにより、大口径の杭と同等な杭３２０を構築することができ、コストダウンとなる。
【００３６】
尚、図１３に於いては、コンクリート節杭を基にして製造されたコンクリート杭矢板２１０を使用した施工手順について説明したが、前記コンクリート杭矢板２００を使用しても、まったく同様の施工手順にて大口径の杭と同等な杭を構築することができる。また、コンクリート円筒杭２０を基にして製作されたコンクリート杭矢板１００または１１０を使用しても、同様の施工手順にて大口径の杭と同等な杭を構築することができる。
【００３７】
而して、本発明は、本発明の精神を逸脱しない限り種々の改変を為すことができ、そして、本発明が該改変されたものに及ぶことは当然である。
【００３８】
【発明の効果】
本発明は上記一実施の形態に詳述したように、請求項１記載の発明は、コンクリート杭本体と一体的で且つ杭本体周面の所要位置に露出するように継手取付部材を設け、該継手取付部材に継手を固設したことにより、コンクリート杭矢板が構築される。従って各コンクリート杭本体の継手同士を係合して、隣接するコンクリート杭本体同士を連結すれば、コンクリート杭を既存の鋼管矢板と同様に矢板に使用することができ、鋼管杭よりも安価なコンクリート杭を使用することにより、低価格の矢板を提供することができる。また、コンクリート杭矢板を複数本連結することにより、大口径の杭と同様の強度を備えた構造物の施工が可能である。
【００３９】
請求項２記載の発明は、上記継手取付部材は杭本体と略同径のリング状であり、杭本体の長手方向に所要間隔毎に設けられているので、請求項１記載の効果に加えて、継手の固設作業が簡単に行えて施工作業の効率が向上するとともにコストダウンにも寄与できる。
【００４０】
請求項３記載の発明は、上記継手取付部材は杭本体の同一円周面上に所要間隔毎に設けられ、且つ、杭本体の長手方向に所要間隔毎に設けられているので、請求項１または２記載の発明と同様の効果を有するとともに、継手取付部材の材料費が低減できる。
【図面の簡単な説明】
図は本発明の一実施の形態を示すものである。
【図１】コンクリート杭矢板の施工法の一例として、リング状の継手取付部材を設けたコンクリート円筒杭を示し、
（ａ）平面図。
（ｂ）一部切欠正面図。
（ｃ）図１（ｂ）のＡ１−Ａ１線断面図。
【図２】コンクリート杭矢板の施工法の一例として、リング状の継手取付部材を設けたコンクリート円筒杭に継手を固設したコンクリート杭矢板を示し、
（ａ）平面図。
（ｂ）一部切欠正面図。
（ｃ）図２（ｂ）のＡ２−Ａ２線断面図。
【図３】コンクリート杭矢板の施工法の一例として、鉄片状の継手取付部材を設けたコンクリート円筒杭を示し、
（ａ）平面図。
（ｂ）一部切欠正面図。
（ｃ）図３（ｂ）のＢ１−Ｂ１線断面図。
【図４】コンクリート杭矢板の施工法の一例として、鉄片状の継手取付部材を設けたコンクリート円筒杭に継手を固設したコンクリート杭矢板を示し、
（ａ）平面図。
（ｂ）一部切欠正面図。
（ｃ）図４（ｂ）のＢ２−Ｂ２線断面図。
【図５】コンクリート杭矢板の施工法の一例として、リング状の継手取付部材を設けたコンクリート節杭を示し、
（ａ）平面図。
（ｂ）一部切欠正面図。
（ｃ）図５（ｂ）のＣ１−Ｃ１線断面図。
【図６】コンクリート杭矢板の施工法の一例として、リング状の継手取付部材を設けたコンクリート節杭に継手を固設したコンクリート杭矢板を示し、
（ａ）平面図。
（ｂ）一部切欠正面図。
（ｃ）図６（ｂ）のＣ２−Ｃ２線断面図。
【図７】コンクリート杭矢板の施工法の一例として、鉄片状の継手取付部材を設けたコンクリート節杭を示し、
（ａ）平面図。
（ｂ）一部切欠正面図。
（ｃ）図７（ｂ）のＤ１−Ｄ１線断面図。
【図８】コンクリート杭矢板の施工法の一例として、鉄片状の継手取付部材を設けたコンクリート節杭に継手を固設したコンクリート杭矢板を示し、
（ａ）平面図。
（ｂ）一部切欠正面図。
（ｃ）図８（ｂ）のＤ２−Ｄ２線断面図。
【図９】（ａ）継手の他の形態を示す断面図。
（ｂ）継手の他の形態を示す断面図。
【図１０】コンクリート杭矢板を連結して直線の連続壁を構築する施工法の一例を示す平面図。
【図１１】コンクリート杭矢板を連結して円形の連続壁を構築する施工法の一例を示す平面図。
【図１２】コンクリート杭矢板を連結して構築された円形の連続壁の平面図。
【図１３】コンクリート杭矢板を連結して構築された大口径と同等の杭の平面図。
【符号の説明】
１０      （コンクリート円筒杭の）杭本体
１２      （リング状の）継手取付部材
１２ａ    （鉄片状の）継手取付部材
１３        継手
１５        雌継手
１６        雄継手
１７        雌継手
２０      （コンクリート節杭の）杭本体
２２      （リング状の）継手取付部材
２２ａ    （鉄片状の）継手取付部材
１００      （円筒杭を基にした）コンクリート杭矢板
１１０      （円筒杭を基にした）コンクリート杭矢板
２００      （節杭を基にした）コンクリート杭矢板
２１０      （節杭を基にした）コンクリート杭矢板
【図１】
2004169331.tif 000003
【図２】
2004169331.tif 000004
【図３】
2004169331.tif 000005
【図４】
2004169331.tif 000006
【図５】
2004169331.tif 000007
【図６】
2004169331.tif 000008
【図７】
2004169331.tif 000009
【図８】
2004169331.tif 000010
【図９】
2004169331.tif 000011
【図１０】
2004169331.tif 000012
【図１１】
2004169331.tif 000013
【図１２】
2004169331.tif 000014
【図１３】
2004169331.tif 000015